(57)【特許請求の範囲】
【請求項１】
円筒形または多角筒形の肥料ホッパー２の内腔に、軸芯部位に配した回転軸３０により回転する撹拌装置３を装設し、肥料ホッパー２の底板２０の、前記撹拌装置３の回転軸３０からそれの放射方向に所定距離を隔てた部位に、繰出口２１を開設して、それに筒状の拡散室ｂを、前記肥料ホッパー２の底板２０から下方に突出するよう接続し、該拡散室ｂの底板２３に繰出穴Ａを開設し、その下方に回転する散布板２６を装設する肥料散布機において、拡散室ｂの底板２３には、前記繰出穴Ａから拡散室ｂ内を回転するアジテータ２５の回転方向ｇとは逆向きに一定の角度βを隔てた位置に、もう一つの繰出穴Ｂを開設し、それら繰出穴Ａおよび繰出穴Ｂを、各別のシャッター板４２・４２’によりそれぞれ独立して、開度調整および開閉制御が可能とし、それらの下方に、上面側に散布羽根２７…が装設されて回転する散布板２６を配設したことを特徴とする肥料散布機。
【請求項２】
円筒形または多角筒形の肥料ホッパー２の内腔に、軸芯部位に配した回転軸３０により回転する撹拌装置３を装設し、肥料ホッパー２の底板２０の、前記撹拌装置３の回転軸３０からそれの放射方向に所定距離を隔てた部位に、繰出口２１を開設して、それに筒状の拡散室ｂを、前記肥料ホッパー２の底板２０から下方に突出するよう接続し、該拡散室ｂの底板２３に繰出穴Ａを開設し、その下方に回転する散布板２６を装設する肥料散布機において、拡散室ｂの底板２３には、前記繰出穴Ａから拡散室ｂ内を回転するアジテータ２５の回転方向ｇとは逆向きに一定の角度βを隔てた位置に、もう一つの繰出穴Ｂを開設し、それら繰出穴Ａおよび繰出穴Ｂを、各別のシャッター板４２・４２’によりそれぞれ独立して、開度調整および開閉制御が可能とし、拡散室ｂを形成する筒状体２２を支持する支持機枠１０の下面側と散布板２６上面の散布羽根２７の上端面との間に形成される空間内に、平面視において、飛散防止カバー２８とアジテータ２５の駆動軸２４との間で、散布板２６の外周縁よりも中心に寄る位置に、筒状体２２の周縁下方を、一定の包囲角度δの範囲で囲う円弧状の規制板ｚを配設したことを特徴とする肥料散布機。
【発明の詳細な説明】
【０００１】
【発明の属する技術分野】
本発明は、粒状肥料および有機質肥料を圃場に散布する肥料散布機に関する。一層具体的にいえば、肥料散布機のうちで、機体フレームに支架した円筒形または多角筒形の肥料ホッパーの内腔に、軸芯部位に配した回転軸により回転する撹拌装置を装設して、前記肥料ホッパーの内腔を肥料混合室に形成し、その肥料混合室の底部の、前記撹拌装置の回転軸からそれの放射方向に所定距離を隔てた部位に、肥料ホッパーより小径の繰出口を開設して、その繰出口に、それと対応する径の筒状の拡散室を、前記肥料ホッパーの底板から下方に突出するよう接続し、この拡散室内を回転するアジテーターにより、該拡散室の底板に設けた繰出穴から、その下方の散布室に粒状の化成肥料を繰出して、その散布室に設けた回転する散布板によって、機体フレームの外面に開放する散布口から散布する形態の肥料散布機についての改良に関する。
【０００２】
【従来の技術】
上述の形態の肥料散布機Ｗは、通常、図１および図２にあるように、円筒形の周壁を具備する有底の肥料ホッパー２を、箱状に形成した機体フレーム１の上面に支架する。
【０００３】
この肥料ホッパー２内の軸芯部位に、機体フレーム１から立ち上がる回転軸３０を配設し、機体フレーム１内に設けたミッション部３１を介して駆動し、この回転軸３０の上端部に、放射方向に突出して下方に屈曲するアーム３２を接続し、それの下端に撹拌翼３３を設けて、これにより肥料ホッパー２内に、中心部の回転軸３０で撹拌翼３３が回転する撹拌装置３を装設し、これにより肥料ホッパー２内を肥料混合室ａに形成する。
【０００４】
この肥料混合室ａの底部となる前記肥料ホッパー２の底板２０には、撹拌装置３の回転軸３０から放射方向に所定距離ｄ１を隔てた部位に、肥料ホッパー２より遥かに小径の繰出口２１を開設して、ここに、前記繰出口２１と対応する径の筒状体２２とそれの底部に設けた底板２３とで形成する拡散室ｂを、肥料ホッパー２の底板２０から下方に突出するよう接続し、それの底板２３に繰出穴Ａを開設し、また、拡散室ｂ内には、それの軸芯部位に配位した駆動軸２４により回転するアジテータ２５を配設する。
【０００５】
拡散室ｂの底板２３の下面には、ロッド４０の押し引きにより、支点軸４１中心に前述の繰出穴Ａの下面側をスライド回動して、その繰出穴Ａの開度を拡縮調節するシャッター板４２を装設する。
【０００６】
拡散室ｂの下方には、機体フレーム１の前方に向けて散布口ｙが開放する散布室ｃを形成して、ここに、前記アジテータ２５の駆動軸２４の下端側に取付けられて回転する円板状の散布板２６を前記拡散室ｂの下方に位置するように配設し、その散布板２６の上面には多数の散布羽根２７…を平面視において放射状に装設する。
【０００７】
また、散布板２６の外周側で、散布板２６と撹拌装置３の回転軸３０との間には、平面視でアジテータ２５の駆動軸２４を中心とする円弧状の飛散防止カバー２８を配位して、筒状体２２の下端を支持する支持機枠１０の下面側に垂設する。これらによって、粒状肥料の散布機Ｗが構成されるようにしている。
【０００８】
【発明が解決しようとする課題】
上述の形態の肥料散布機は、粒状肥料（化成肥料）の散布を目的として開発され、粒状肥料の散布に適応するように設計されて作られているものであるが、近年、圃場への有機質の還元という観点から、粒状肥料のみならず、有機質肥料すなわち堆肥の散布にも用いられるようになってきているので、堆肥を肥料として散布する場合においても、良好な散布性と散布精度が求められるようになってきている。
【０００９】
ところで、この形態の肥料散布機Ｗは、粒状肥料Ｍ１を散布する場合は、図３に示すように、アジテータ２５の回転軸２４の上端側に固着されたアジテータ２５の回転により、粒状肥料Ｍ１が、拡散室ｂ内から底板２３に開設した繰出穴Ａとシャッター板４２の辺縁とで形成された繰出穴の開口部Ａ’を経由して、散布板２６上に落下し、回転中の散布板２６およびそれの上面に固定された散布羽根２７による遠心力を受け、散布板２６の回転円周に対し一定の投てき角度θ1 をなして拡散して放てき散布される。そして、このとき、散布される粒状肥料Ｍ１の分布中心線ｆａを、散布機Ｗの機体中心線ｅと一致させるのは、散布板２６に対する繰出穴Ａの位置および最大開口角度αの設定により可能となる。
【００１０】
しかし、このように、粒状肥料Ｍ１の分布中心線ｆａが機体中心線ｅと一致するように設定した繰出穴Ａで堆肥Ｍ２を散布すると、堆肥Ｍ２は粒状肥料Ｍ１に比較し水分および繊維質を多く含んでいるため、散布板２６および散布羽根２７に付着しやすく、結果として図４に示しているように、その堆肥Ｍ２の投てき角度θ2 は、粒状肥料Ｍ１の投てき角度θ1 に対し、散布板２６の回転方向ｇ側に持ち回った散布となり、散布した堆肥Ｍ２の分布中心線ｆｂと肥料散布機の機体中心線ｅとの間に距離ｄ２の差異が生じ、散布作業がしずらいという第１の問題があった。（問題点１）
【００１１】
また、堆肥Ｍ２は粒状肥料Ｍ１に比較し、その性状が水分および繊維質を多く含むことで土塊状となりやすいことから、堆肥の散布にも用いる散布機Ｗの構成を、底板２３に開設した繰出穴Ａとシャッター板４２の辺縁とで形成される繰出穴開口部Ａ’から散布板２６までの間の距離ｄ３を比較的大きくするため堆肥Ｍ２が繰出穴開口部Ａ’を経由してから回転中の散布板２６の上面に対する落下位置が定まらず、実散布において、所定の投てき角度θ2 に対し散布精度がばらつくという第２の問題がでてくる。（問題点２）
【００１２】
さらに、堆肥Ｍ２は、粒状肥料Ｍ１に比較し、有機質肥料としての、土壌改良的効能が求められるため、一般的には粒状肥料Ｍ１よりも多くの散布量が求められる。
【００１３】
しかしながら、粒状肥料Ｍ１の散布と共通の繰出穴Ａを使用する条件においては、シャッター板４２を最大開度まで開けても、底板２３上の繰出穴Ａのみでは最大散布量に限界があり、また、繰出穴Ａの開口面積を、堆肥Ｍ２の散布に対応させてむやみに拡大すると、粒状肥料Ｍ１を少量散布する時に、散布板２６上への粒状肥料Ｍ１の落下位置が定まりにくくなり、散布精度において、悪影響を生ぜしめるという第３の問題がでてくる。（問題点３）
【００１４】
この発明は、このように堆肥の散布にも用いる粒状肥料の散布機に生じている問題を解消せしめるためになされたものであって、粒状肥料（化成肥料）を散布したとき、および堆肥等の有機質の肥料を散布したときの何れの場合にあっても、散布した肥料の分布中心線を、散布機の機体中心線と一致させて散布でき、かつ、拡散室の底板の繰出穴から繰出されて落下する肥料が、散布板の上面に対して、所定の位置に、散乱することなく落下していくようにし、しかも、粒状肥料を少量散布する場合にも、散布精度に悪影響を与えることがないようにし得る新たな手段を提供することを目的とする。
【００１５】
【課題を解決するための手段】
そして本発明においては、上述の目的を達成するための手段として、円筒形または多角筒形の肥料ホッパー２の内腔に、軸芯部位に配した回転軸３０により回転する撹拌装置３を装設し、肥料ホッパー２の底板２０の、前記撹拌装置３の回転軸３０からそれの放射方向に所定距離を隔てた部位に、繰出口２１を開設して、それに筒状の拡散室ｂを、前記肥料ホッパー２の底板２０から下方に突出するよう接続し、該拡散室ｂの底板２３に繰出穴Ａを開設し、その下方に回転する散布板２６を装設する肥料散布機において、拡散室ｂの底板２３には、前記繰出穴Ａから拡散室ｂ内を回転するアジテータ２５の回転方向ｇとは逆向きに一定の角度βを隔てた位置に、もう一つの繰出穴Ｂを開設し、それら繰出穴Ａおよび繰出穴Ｂを、各別のシャッター板４２・４２’によりそれぞれ独立して、開度調整および開閉制御が可能とし、それらの下方に、上面側に散布羽根２７…が装設されて回転する散布板２６を配設したことを特徴とする肥料散布機を提起し、また、同時に、円筒形または多角筒形の肥料ホッパー２の内腔に、軸芯部位に配した回転軸３０により回転する撹拌装置３を装設し、肥料ホッパー２の底板２０の、前記撹拌装置３の回転軸３０からそれの放射方向に所定距離を隔てた部位に、繰出口２１を開設して、それに筒状の拡散室ｂを、前記肥料ホッパー２の底板２０から下方に突出するよう接続し、該拡散室ｂの底板２３に繰出穴Ａを開設し、その下方に回転する散布板２６を装設する肥料散布機において、拡散室ｂの底板２３には、前記繰出穴Ａから拡散室ｂ内を回転するアジテータ２５の回転方向ｇとは逆向きに一定の角度βを隔てた位置に、もう一つの繰出穴Ｂを開設し、それら繰出穴Ａおよび繰出穴Ｂを、各別のシャッター板４２・４２’によりそれぞれ独立して、開度調整および開閉制御が可能とし、拡散室ｂを形成する筒状体２２を支持する支持機枠１０の下面側と散布板２６上面の散布羽根２７の上端面との間に形成される空間内に、平面視において、飛散防止カバー２８とアジテータ２５の駆動軸２４との間で、散布板２６の外周縁よりも中心に寄る位置に、筒状体２２の周縁下方を、一定の包囲角度δの範囲で囲う円弧状の規制板ｚを配設したことを特徴とする肥料散布機を提起するものである。
【００１６】
【発明の実施の形態】
本発明による肥料散布機Ｗは、機体フレーム１に支架する肥料ホッパー２と、それの内部の軸芯部に位置する回転軸３０で回転する撹拌装置３とで、この肥料ホッパー２の内腔を肥料混合室ａに形成し、肥料ホッパー２の底板２０の撹拌装置３の回転軸３０から所定距離を隔てた周縁部位に、この肥料混合室ａの繰出口２１を開設して、それに、肥料ホッパー２より小径の拡散室ｂを下方に落ち込むように連続させて形設して、内部にアジテータ２５を装設し、この拡散室ｂの底板２３に、シャッター板４２により開度が自在に調節される繰出穴Ａを開設して、この繰出穴Ａから肥料を繰出すようにしておき、そこから繰出される肥料を、その繰出穴Ａの下方の機体フレーム１内に形成せる空間に配設した散布板２６上に落下させて、その散布板２６の回転により遠心力で振り出すようにし、その振り出す肥料を、散布板２６の外周側で、撹拌装置３の回転軸３０と散布板２６との間に配設する平面視においてアジテータ２５の回転軸２４を中心とする円弧状の飛散防止カバー２８によりガイドさせて、機体フレーム１の前面側の散布口ｙから散布するように構成する点については、従前手段のものと同様である。
【００１７】
しかして、本発明手段は、このように構成される肥料散布機において、それの肥料混合室ａの底部に連続する肥料ホッパー２より小径の拡散室ｂの底板２３には、それに開設されている繰出穴Ａの外に、もう一つの繰出穴Ｂを、繰出穴Ａに対して、拡散室ｂ内を回転するアジテータ２５の回転方向の逆向きに一定の角度βを隔てた位置に、アジテータ２５の駆動軸２４を中心として繰出穴Ａの最大開口角度αと略揃う最大開口角度γを有する繰出穴として開設する。
【００１８】
これにより、従来からある繰出穴Ａと別のもう一つの繰出穴Ｂとが、底板２３の、散布口ｙが開放する機体フレーム１の前面側と反対の後半側に、アジテータ２５の駆動軸２４を中心として略対称して位置するようにする。
【００１９】
そして、これら繰出穴Ａと繰出穴Ｂの下面側には、それの開度を自在に調節するためのシャッター板４２・４２’をそれぞれ配設し、かつ、それらシャッター板４２・４２’はそれぞれが独立して作動させ得るようにする。
【００２０】
また、拡散室ｂを形成する筒状体２２を支える支持機枠１０と回転する散布板２６の上面の散布羽根２７…の上縁の回転軌跡との間に形成される空間には、前記支持機枠１０から垂設して散布板２６の後方部位を囲う飛散防止カバー２８の内側位置に、アジテータ２５の駆動軸２４を中心とする一定の包囲角度δの範囲で平面視で散布板２６の外周端に沿う規制板ｚを設けるようにする。
【００２１】
【実施例】
次に実施例を図面に従い詳述する。なお、図面符号は従前手段のものと同効の構成部材については同一の符号を用いるものとする。
【００２２】
図６は本発明による肥料散布機Ｗの縦断側面図、図７は同上肥料散布機Ｗの一部破断した平面図、図８は同上肥料散布機Ｗの要部の一部破断した拡大平面図、図９は同上要部の一部破断した縦断正面図である。
【００２３】
図において、１は機体フレーム、２は肥料ホッパー、３は撹拌装置、ａは肥料混合室、ｂは拡散室、２２は拡散室ｂを形成する筒状体、１０は筒状体２２を支持する支持機枠、２５は拡散室ｂ内に設けたアジテータ、２３は拡散室ｂの底板、Ａはその底板２３に開設した繰出穴、４２はその繰出穴Ａの開度を調節するシャッター板、２６は散布板、２７は散布板２６の上面側に設けた散布羽根、ｙは機体フレーム１の前面側に開設した散布口、Ｂは拡散室ｂの底板２３に開設したもう一つの繰出穴、４２’はその繰出穴Ｂの開度を調節するシャッター板、２８は散布板２６の外周で散布口ｙと反対側の後方部位を囲うよう設けた飛散防止カバー、ｚは飛散防止カバー２８の内側で、散布板２６の上面の散布羽根２７の上縁と筒状体２２の支持機枠１０の下面との間の空間に設けた規制板を示す。
【００２４】
機体フレーム１は箱状に形成され、前面側（図６にて右面側）に散布口ｙが開設してある。
【００２５】
肥料ホッパー２は有底の円筒形または多角筒形に形成されて、前記機体フレーム１の上方に装架され、内部には軸芯部位に配設した回転軸３０により回転する撹拌装置３を装設して、内腔を肥料混合室ａに形成してあり、肥料ホッパー２の底板２０には外周縁に寄る部位に繰出口２１が開設してある。肥料混合室ａ内には、化成肥料の粒状肥料Ｍ１又は有機質肥料である堆肥Ｍ２が投入されて満たされる。
【００２６】
肥料ホッパー２内に装設された撹拌装置３の回転軸３０は、肥料ホッパー２の底板２０に立設した筒状の支柱３０ａにより保護されており、その支柱３０ａ内の回転軸３０は、機体フレーム１内に設けたミッション部３１の出力軸と伝導して駆動されて回転する。
【００２７】
撹拌装置３は、回転軸３０の上端部から放射方向に延出して下方に屈曲して垂下する複数本のアーム３２…の下端部に、それぞれ撹拌翼３３…を設けて構成してあり、その撹拌翼３３…は肥料ホッパー２の底板２０の上面に集積する肥料Ｍ１・Ｍ２を掬い上げるようすくい角が形成してある。
【００２８】
肥料ホッパー２の底板２０に開設する繰出口２１は、図７の平面図にあるように、撹拌装置３の回転中心から肥料ホッパー２の外周方向へ一定の距離ｄ１を隔てた位置に、肥料ホッパー２の内径に対し遥かに小径に形成してある。
【００２９】
拡散室ｂは、前記肥料ホッパー２の底板２０に開設した繰出口２１に、上縁側を接続した円形または多角形の筒状体２２と、それの内部に棚設した底板２３とで、その底板２３の上面側に形成してあり、それの内腔には、軸芯部位に配設した駆動軸２４により回転するアジテータ２５が設けてある。
【００３０】
拡散室ｂの底板２３には、それの上面の散布口ｙと反対側の後半側の左右の一半側で、アジテータ２５の回転方向の前方に位置する部位に、平面視において、アジテータ２５の回転方向に回転軸３０を中心とする一定の最大開口角度αとなる角度の繰出穴Ａを従前手段と同様に形成するが、この繰出穴Ａと別に、もう一つの繰出穴Ｂを、前記繰出穴Ａからアジテータ２５の回転方向と逆方向に一定の隣接角度βを隔てた部位に、前記繰出穴Ａと同様の一定の最大開口角度γを有するよう開設する。
【００３１】
そして、それら繰出穴Ａおよび繰出穴Ｂの下面側には、筒状体２２の外周部位に設けた支点軸４１および支点軸４１’に回動自在に軸支されてロッド４０・４０’の作動により、底板２３の下面に摺接して回動するシャッター板４２・４２’がそれぞれ設けられ、かつ、それらシャッター板４２・４２’は各々独立して作動し、繰出穴Ａおよび繰出穴Ｂの開度が各別に任意に調整可能となっている。
【００３２】
散布板２６は、円板状に形成されて、アジテータ２５の駆動軸２４の下端側に取付けられておりそのアジテータ２５の駆動軸を回転軸として回転する。この散布板２６の上面には、複数の散布羽根２７…が、平面視において、アジテータ２５の駆動軸２４を中心とし放射状に取付けてある。
【００３３】
飛散防止カバー２８は、散布板２６の外周の一部で散布口ｙと反対側を囲うよう平面視において弧状に形成して、散布板２６と撹拌装置３の回転軸３０との間に配位し、側面視において、筒状体２２の下端を支持するよう機体フレーム１に設けた支持機枠１０の下面から散布板２６の下方に渡る間を囲うよう前記支持機枠１０に垂設してある。
【００３４】
また、規制板ｚは、前記弧状の飛散防止カバー２８とアジテータ２５の駆動軸２４との間において、筒状体２２の下端を支持する支持機枠１０の下面と散布板２６の上面の散布羽根２７の上端面との間に形成される空間内に、アジテータ２５の駆動軸２４を中心に、一定の包囲角度δの範囲で散布板２６の外周端よりも該散布板２６の回転中心に寄る位置で、支持機枠１０の下面側に、散布羽根２７に干渉しない範囲で任意高さｉを保持して固定されている。
【００３５】
ロッド４０および４０’は、それぞれシャッター板４２および４２’に連結され、図８において二重線の矢印の方向に操作することにより繰出穴Ａおよび繰出穴Ｂの開口面積の調整と開閉とが各別に行なえる構成となっている。
【００３６】
次に、５はトラクタおよび他の汎用動力源からの動力を取入れる入力軸を示し、その動力は機体フレーム１に支架せるミッション部３１内の伝達機構を介し、撹拌装置３の回転軸３０と動力伝達軸５０に伝達され散布板駆動ギヤケース５１内の動力伝達機構を介しアジテータ２５の駆動軸２４に伝達される。
【００３７】
次に作用を説明する。
図６および図７において、肥料ホッパー２に投入された堆肥Ｍ２は、入力軸５・ミッション部３１・撹拌装置３の回転軸３０を介した動力により作動する撹拌装置３によって、肥料混合室ａ内において十分に混合撹拌された後、撹拌翼３３により繰出口２１を経由し筒状体２２および底板２３で形成された拡散室ｂ内まで搬送される。
【００３８】
拡散室ｂ内の堆肥Ｍ２は、動力伝達軸５０・散布板駆動ギヤケース５１および駆動軸２４を介した入力動力によるアジテータ２５の回転により、底板２３上を回転搬送され、繰出穴Ａおよび繰出穴Ｂを経由し、図８において二重線で示す矢印ｇ方向へ回転中の散布板２６上へ落下する。
【００３９】
このとき、落下途中の堆肥Ｍ２は、図１０の側面図の如く、規制板ｚに案内され、回転中の散布板２６上面の散布羽根２７の回転軌跡のうちの中心部位に寄る所定の位置へ散乱することなく落下するようになる。
【００４０】
従って、繰出穴Ａおよび繰出穴Ｂを経由した堆肥Ｍ２は図１１の平面図の如く、規制板ｚによる落下途上の流れを規制する作用により、散布板２６上面の狙い上の落下点に到着した後、散布板２６およびその上面に設けた散布羽根２７…の回転による遠心力により、繰出穴Ａおよび繰出穴Ｂがアジテータ２５の駆動軸２４に対し、それぞれ等しい開口角度εと等しい開口面積を保有するという条件下において、堆肥Ｍ２はそれぞれ等しく投てき角度θ3 で散布されるため、その散布量の分布は、図１２の散布量の分布図の如くのデータとなり、図４における公知従来の肥料散布機における堆肥Ｍ２の散布量の分布図１３の散布量の分布図のデータと比較すると、分布中心ｆｂが機体中心ｅに概ね一致させることが可能となり、作業性の大幅な改善がはかれること、また公知従来機の図１３における散布幅ｋｌも、図１２における散布幅ｋ２の如く拡大が可能となり、かつ、分布中心線ｆｂの付近に、繰出穴Ａおよび繰出穴Ｂそれぞれからの散布堆肥Ｍ２の重複部ｊができ、図１３におけるデータに比較し、図１２におけるデータの方が散布精度上改善できる結果となる。
【００４１】
また、図１１において、ロッド４０’およびシャッター板４２’の操作により、繰出穴Ｂを完全に閉じた状態とすると、前述の図３において説明した従来手段のものと等しくなり、粒状肥料Ｍ１の散布が問題なくできる状態にもできる。
【００４２】
以上の如く、本発明手段は、粒状肥料Ｍ１の散布性能を損なうことなく、従来手段に生じていた第１の問題点および第２の問題点を解決することができる。
【００４３】
また、図１１の平面図の如く、機体中心線ｅを対称線とし概ね対称の位置に繰出穴Ａおよび繰出穴Ｂを等しい最大開口面積で配設すれば、図３における堆肥Ｍ２の最大散布量すなわち繰出穴Ａの最大開口時の散布量の概ね２倍の散布量まで対応可能となり、従来手段における第３の問題点についても解決することができる。
【００４４】
次に図１４は別の実施例を示す。
この図１４に示す例は、繰出穴Ａと繰出穴Ｂを、肥料散布機Ｗの機体中心線ｅに対し、非対称、かつ、それぞれの最大開口面積を異なるようにした実施例である。
【００４５】
この例は、撹拌装置３を収蔵して内腔を肥料混合室ａに形成した肥料ホッパー２の底部に、筒状体２２で形成する小径の拡散室ｂを連続させて設け、それの底部の底板２３に、繰出穴Ａを開設するとともにもう一つの別の繰出穴Ｂを開設し、それらの開度を各別のシャッター板４２・４２’により各別に調節・および開閉し得るようにし、それらから繰出される肥料を、拡散室ｂの下方の散布室ｃに配設した散布板２６上の所定位置に落下させ、その散布板２６の回転により振り出して機体フレーム１前面の散布口ｙから散布することについては前述の実施例と変わりがなく、これらの構成については、同効の構成部材に同一の符号を付して詳しい説明は省略する。
【００４６】
しかして、この例においては、拡散室ｂの底板２３に開設する繰出穴Ａともう一つの繰出穴Ｂのうちのアジテータ２５の回転方向において、散布口ｙに対して後位側に位置する繰出穴Ｂは、前述の実施例の繰出穴Ｂと同様に形成するが、前位側に位置する繰出穴Ａにあっては、それの幅を狭くして、アジテータ２５の回転方向に長い弧状の長穴状に開設してある。
【００４７】
そして、これにより、各別のシャッター板４２・４２’の各別の操作・制御によって、少量散布が主体となる粒状肥料Ｍ１の散布時には繰出穴Ａのみを使用し、また堆肥Ｍ２のような水分および繊維質を多く含んだ有機質肥料の散布時には繰出穴Ｂのみを使用するようにして、散布肥料の性状に合わせた繰出穴Ａ・Ｂの使い分けが行なえるようにした実施例である。
【００４８】
次に、図１５はさらに別の実施例を示す。この例は、繰出穴Ａと繰出穴Ｂとを、機体中心線ｅに沿う対称線として対称位置に配位した状態で、その対称線を、機体中心線ｅを基準線とし、散布板２６の回転方向ｇと逆向きに、アジテータ２５の駆動軸２４を回転中心とし、所定の角度θ4 回転させ、この状態位置においてそれぞれ底板２３上に開設した例であり、より水分が多く粘性の強い肥料を主散布物ととする場合に左右均等の散布幅をもたせて散布する場合に有効な実施例である。
【００４９】
この実施例も、上述の点を除いたその余の構成は前述の実施例と変わりがないので、その構成は同効の構成部材に同一の符号を付して詳しい説明は省略する。
【００５０】
【発明の効果】
以上説明したように、本発明手段においては、円筒形または多角筒形の肥料ホッパー２の内腔に、軸芯部位に配した回転軸３０により回転する撹拌装置３を装設し、肥料ホッパー２の底板２０の、前記撹拌装置３の回転軸３０からそれの放射方向に所定距離を隔てた部位に、繰出口２１を開設して、それに筒状の拡散室ｂを、前記肥料ホッパー２の底板２０から下方に突出するよう接続し、該拡散室ｂの底板２３に繰出穴Ａを開設し、その下方に回転する散布板２６を装設する肥料散布機において、拡散室ｂの底板２３には、前記繰出穴Ａから拡散室ｂ内を回転するアジテータ２５の回転方向ｇとは逆向きに一定の角度βを隔てた位置に、もう一つの繰出穴Ｂを開設し、それら繰出穴Ａおよび繰出穴Ｂを、各別のシャッター板４２・４２’によりそれぞれ独立して、開度調整および開閉制御が可能とし、それらの下方に、上面側に散布羽根２７…が装設されて回転する散布板２６を配設した構成としていることから、粒状の化成肥料Ｍ１のみならず、水分および繊維質を多く含んだ堆肥Ｍ２の散布においても、左右均等な散布を可能ならしめるとともに、散布精度の向上ができ、なおかつ、堆肥Ｍ２の大量散布対応も可能となる。
【００５１】
また、上述の肥料散布機において、拡散室ｂを形成する筒状体２２を支持する支持機枠１０の下面側と散布板２６上面の散布羽根２７の上端面との間に形成される空間内に、平面視において、飛散防止カバー２８とアジテータ２５の駆動軸２４との間で、散布板２６の外周縁よりも中心に寄る位置に、筒状体２２の周縁下方を、一定の包囲角度δの範囲で囲う円弧状の規制板ｚを配設しているのだから、堆肥Ｍ２の繰出穴Ａおよび繰出穴Ｂからの回転中の散布板２６上への落下位置が規制されることになって、散布板２６からの投てき角度θ3 が均等正確となり散布幅ｋ２内の散布精度を向上させることができるようになる。
【図面の簡単な説明】
【図１】従前の肥料散布機の縦断側面図である。
【図２】同上の一部破断した平面図である。
【図３】同上の要部の粒状肥料を散布した状態時の一部破断した拡大平面図である。
【図４】同上の要部の堆肥を散布した状態時の一部破断した平面図である。
【図５】同上の要部の縦断側面図である。
【図６】本発明による肥料散布機の縦断側面図である。
【図７】同上の一部破断した平面図である。
【図８】同上の要部の一部破断した拡大平面図である。
【図９】同上要部の縦断正面図である。
【図１０】同上の要部の有機質肥料の散布状態時の縦断側面図である。
【図１１】同上の要部の有機質肥料の散布時における一部破断した平面図である。
【図１２】本発明による肥料散布機による堆肥散布時の散布量の分布図である。
【図１３】従来の肥料散布機による堆肥散布時の散布量の分布図である。
【図１４】本発明による肥料散布機の別の実施例の要部の一部破断した平面図である。
【図１５】本発明による肥料散布機のさらに別の実施例の要部の一部破断した平面図である。
【符号の説明】
Ａ・Ｂ…繰出穴、Ａ’…繰出穴の開口部、Ｗ…肥料散布機、Ｍ１…粒状肥料、Ｍ２…堆肥、ａ…肥料混合室、ｂ…拡散室、ｃ…散布室、ｄ…距離、ｅ…機体中心線、ｆａ・ｆｂ…分布中心線、ｇ…回転方向、ｉ…任意高さ、ｊ…重複部、ｋ１・ｋ２…散布幅、ｙ…散布口、ｚ…規制板、１…機体フレーム、１０…支持機枠、２…肥料ホッパー、２０…底板、２１…繰出口、２２…筒状体、２３…底板、２４…駆動軸、２５…アジテータ、２６…散布板、２７…散布羽根、２８…飛散防止カバー、３…撹拌装置、３０…回転軸、３０ａ…筒状の支柱、３１…ミッション部、３２…アーム、３３…撹拌翼、４０・４０’…ロッド、４１・４１’…支点軸、４２・４２’…シャッター板、５…入力軸、５０…動力伝達軸、５１…散布板駆動ギヤケース。
【図１】
0003705908.tif 000002
【図２】
0003705908.tif 000003
【図３】
0003705908.tif 000004
【図４】
0003705908.tif 000005
【図５】
0003705908.tif 000006
【図６】
0003705908.tif 000007
【図７】
0003705908.tif 000008
【図８】
0003705908.tif 000009
【図９】
0003705908.tif 000010
【図１０】
0003705908.tif 000011
【図１１】
0003705908.tif 000012
【図１２】
0003705908.tif 000013
【図１３】
0003705908.tif 000014
【図１４】
0003705908.tif 000015
【図１５】
0003705908.tif 000016